(57)【要約】【課題】調理技術の分野に属する電子調理器の保温制御方法及び装置を提供する。【解決手段】電子調理器の保温制御方法は、食物の保温温度データを取得するステップと、食物の提供時刻データを予測するステップと、提供時刻データにより指示される時刻における食物の提供温度データを得るステップと、提供時刻データ、提供温度データ及び保温温度データに従って、食物の保温終了時刻データを決定するステップと、保温終了時刻データにより指示される時点で、食物の保温を終了するステップと、を含む。本発明は、保温性制御の柔軟性が比較的低い従来技術と比較して、保温制御の柔軟性を高めることができる。【選択図】図１Ｂ
2018503405.tif 000002
【特許請求の範囲】
【請求項１】
食物の保温温度データを得るステップと、
食物の提供時刻データを予測するステップと、
前記提供時刻データにより指示される時刻における食物の提供温度データを得るステップと、
前記提供時刻データ、前記提供温度データ及び前記保温温度データに従って、食物の保温終了時刻データを決定するステップと、
前記保温終了時刻データにより指示される時刻で、食物の保温を終了するステップと
を含むことを特徴とする電子調理器の保温制御方法。
【請求項２】
食物の調理終了時刻データと、前記調理終了時刻データにより指示される時刻での食物の調理終了温度データとを得るステップと、
前記調理終了時刻データ、前記調理終了温度データ及び前記保温温度データに従って、食物の保温開始時刻データを決定するステップと、
前記保温開始時刻データにより指示される時刻で、食物の保温を開始するステップと
を更に含むことを特徴とする請求項１に記載の電子調理器の保温制御方法。
【請求項３】
調節後、食物が前記提供時刻データにより指示される時刻で提供温度となるように、前記保温終了時刻データにより指示される時刻で食物の温度を調節するステップ
を更に含むことを特徴とする請求項１に記載の電子調理器の保温制御方法。
【請求項４】
前記提供時刻データ、前記提供温度データ及び前記保温温度データに従って、食物の前記保温終了時刻データを決定するステップは、
現在の環境温度データを決定するステップと、
前記保温温度データ、前記提供温度データ、前記環境温度データ、及び、電子調理器の内槽の断熱係数に従って、温度変化期間を決定するステップと、
前記温度変化期間及び前記提供時刻データに従って、前記保温終了時刻データを決定するステップと
を含み、
前記温度変化期間は、前記提供時刻データにより指示される時刻と前記保温終了時刻データにより指示される時刻との差である
ことを特徴とする請求項１乃至請求項３のいずれか１項に記載の電子調理器の保温制御方法。
【請求項５】
食物の前記提供時刻データを予測するステップは、
事前に記録された調理終了の各時点の後に電子調理器を開ける時刻を含む履歴の提供記録の情報に従って、前記提供時刻データを予測するステップ、又は、
前回の調理を終えた後に電子調理器を開く時刻を現在の日付での前記提供時刻データとするステップ
を含むことを特徴とする請求項１に記載の電子調理器の保温制御方法。
【請求項６】
食物の前記提供時刻データを予測するステップは、
ユーザが帰宅する経路の情報を得るステップと、
ユーザが帰宅する交通手段の情報を得るステップと、
ユーザが帰宅する経路の間の交通状況の情報を得るステップと、
前記交通手段の情報及び前記交通状況の情報に従って、ユーザが帰宅する時の時刻データを予測するステップと、
ユーザが帰宅する時の前記時刻データを前記提供時刻データとするステップと
を含むことを特徴とする請求項１に記載の電子調理器の保温制御方法。
【請求項７】
ユーザが帰宅する前記経路の情報を得るステップは、
端末から送信されたユーザの現在位置の情報を受信するステップと、
電子調理器が置かれている場所であるユーザの自宅の位置の情報を得るステップと、
ユーザの前記現在位置の情報及びユーザの前記自宅の位置の情報に従って、ユーザが帰宅する前記経路の情報を決定するステップと
を含むことを特徴とする請求項６に記載の電子調理器の保温制御方法。
【請求項８】
前記提供時刻データにより指示される時刻における食物の前記提供温度データを得るステップは、
前回の調理終了時刻の後に電子調理器を開ける時刻での食物の提供温度データを、前記提供温度データとするステップ、又は、
予め設定された食物の推奨温度データを前記提供温度データとするステップ、又は、
年齢範囲と温度との間の予め設定された対応関係に、ユーザが属する年齢範囲に応じて問い合わせをし、ユーザが属する年齢範囲に応じた温度データを得て、ユーザが属する年齢範囲に対応する前記温度データを前記提供温度データとして決定するステップ
を含むことを特徴とする請求項１に記載の電子調理器の保温制御方法。
【請求項９】
食物の前記保温温度データを得るステップは、
食物の名前を指示するための名前入力命令を受信するステップと、
食物の名前と食物の保温温度との間の対応関係の記録情報である、名前入力命令と予めセットされた保温温度の対応関係に応じて、前記名前入力命令により指示された食物の名前に応じた対象の保温温度データを決定するステップと、
前記対象の保温温度データを前記保温温度データとするステップと
を含むことを特徴とする請求項１乃至請求項３又は請求項５乃至請求項８のいずれか１項に記載の電子調理器の保温制御方法。
【請求項１０】
食物の保温温度データを得るように構成されている保温温度予測モジュールと、
食物の提供時刻データを予測するように構成されている提供時刻予測モジュールと、
前記提供時刻データにより指示される時刻における食物の提供温度データを得るように構成されている提供温度予測モジュールと、
前記提供時刻データ、前記提供温度データ及び前記保温温度データに従って、食物の保温終了時刻データを決定するように構成されている保温終了時刻決定モジュールと、
前記保温終了時刻データにより指示される時点で、食物の保温を終了するように構成されている保温終了モジュールと
を備えることを特徴とする電子調理器の保温制御装置。
【請求項１１】
食物の調理終了時刻データと、前記調理終了時刻データにより指示される時刻での食物の調理終了温度データとを得るように構成されている調理取得モジュールと、
前記調理終了時刻データ、前記調理終了温度データ及び前記保温温度データに従って、食物の保温開始時刻データを決定するように構成されている保温開始時刻決定モジュールと、
前記保温開始時刻データにより指示される時刻で、食物の保温を開始するように構成されている保温開始モジュールと
を更に備えることを特徴とする請求項１０に記載の電子調理器の保温制御装置。
【請求項１２】
調節後、食物が前記提供時刻データにより指示される時刻で提供温度となるように、前記保温終了時刻データにより指示される時刻で食物の温度を調節するように構成されている温度調節モジュール
を更に備えることを特徴とする請求項１０に記載の電子調理器の保温制御装置。
【請求項１３】
前記保温終了時刻決定モジュールは、
現在の環境温度データを決定し、
前記保温温度データ、前記提供温度データ、前記環境温度データ、及び、電子調理器の内槽の断熱係数に従って、温度変化期間を決定し、
前記温度変化期間及び前記提供時刻データに従って、前記保温終了時刻データを決定する
ように構成され、
前記温度変化期間は、前記提供時刻データにより指示される時刻と前記保温終了時刻データにより指示される時刻との差である
ことを特徴とする請求項１０乃至請求項１２のいずれか１項に記載の電子調理器の保温制御装置。
【請求項１４】
前記提供時刻予測モジュールは、
事前に記録された調理終了の各時点の後に電子調理器を開ける時刻を含む履歴の提供記録の情報に従って、前記提供時刻データを予測する、又は、
前回の調理を終えた後に電子調理器を開く時刻を現在の日付での前記提供時刻データとする
ように構成されていることを特徴とする請求項１０に記載の電子調理器の保温制御装置。
【請求項１５】
前記提供時刻予測モジュールは、
ユーザが帰宅する経路の情報を得るように構成されている経路取得サブモジュールと、
ユーザが帰宅する交通手段の情報を得るように構成されている交通手段取得サブモジュールと、
ユーザが帰宅する経路の間の交通状況の情報を得るように構成されている交通状況取得サブモジュールと、
前記交通手段の情報及び前記交通状況の情報に従って、ユーザが帰宅する時の時刻データを予測するように構成されている到着時刻予測サブモジュールと、
ユーザが帰宅する時の前記時刻データを前記提供時刻データとするように構成されている提供時刻決定サブモジュールと
を備えることを特徴とする請求項１０に記載の電子調理器の保温制御装置。
【請求項１６】
前記経路取得サブモジュールは、
端末から送信されたユーザの現在位置の情報を受信し、
電子調理器が置かれている場所であるユーザの自宅の位置の情報を得て、
ユーザの前記現在位置の情報及びユーザの前記自宅の位置の情報に従って、ユーザが帰宅する前記経路の情報を決定する
ように構成されていることを特徴とする請求項１５に記載の電子調理器の保温制御装置。
【請求項１７】
前記提供温度予測モジュールは、
前回の調理終了時刻の後に電子調理器を開ける時刻での食物の提供温度データを、前記提供温度データとする、又は、
予め設定された食物の推奨温度データを前記提供温度データとする、又は、
年齢範囲と温度との間の予め設定された対応関係に、ユーザが属する年齢範囲に応じて問い合わせをし、ユーザが属する年齢範囲に応じた温度データを得て、ユーザが属する年齢範囲に対応する前記温度データを前記提供温度データとして決定する
ように構成されていることを特徴とする請求項１０に記載の電子調理器の保温制御装置。
【請求項１８】
前記保温温度予測モジュールは、
食物の名前を指示するための名前入力命令を受信し、
食物の名前と食物の保温温度との間の対応関係の記録情報である、名前入力命令と予めセットされた保温温度の対応関係に応じて、前記名前入力命令により指示された食物の名前に応じた対象の保温温度データを決定し、
前記対象の保温温度データを前記保温温度データとする
ように構成されていることを特徴とする請求項１０乃至請求項１２又は請求項１４乃至請求項１７のいずれか１項に記載の電子調理器の保温制御装置。
【請求項１９】
プロセッサと、
前記プロセッサにより実行される命令を記憶するためのメモリと
を備え、
前記プロセッサは、
食物の保温温度データを得て、
食物の提供時刻データを予測し、
前記提供時刻データにより指示される時刻における食物の提供温度データを得て、
前記提供時刻データ、前記提供温度データ及び前記保温温度データに従って、食物の保温終了時刻データを決定し、
前記保温終了時刻データにより指示される時刻で、食物の保温を終了する
ように構成されていることを特徴とする電子調理器の保温制御装置。
【発明の詳細な説明】
【技術分野】
【０００１】
［関連出願への相互参照］
本出願は、２０１５年１０月２８日に出願された中国特許出願Ｎｏ．２０１５１０７１１５２２．７に基づくとともに当該出願への優先権を主張し、その全体の内容が参照によりここに取り込まれる。
【０００２】
［技術分野］
本発明は、調理技術の分野に関連し、より具体的には、電子調理器の保温制御方法及び装置に関連する。
【背景技術】
【０００３】
電子調理器は、広く用いられ、人々の日々の生活に便利なサービスを与える家庭用器具である。関連技術においては、電子調理器の動作過程には、調理過程と保温過程とがある。調理過程は、食物を熱処理にさらすことをいい、熱処理は、生の食物を調理した食物へ加工処理する。保温過程は、調理した食物を保温にさらすことをいう。調理過程を完了した後、電子調理器は、予めセットされた時間の間、調理された食物に対し保温を開始し、その後、自動的に電源がオフとなることにより保温を終了する。
【発明の概要】
【発明が解決しようとする課題】
【０００４】
関連技術の上述の問題を解決するために、本発明は、実施形態において、電子調理器の保温制御装置及び方法を提供する。技術的な解決手段は、以下に示される。
【課題を解決するための手段】
【０００５】
本発明の実施形態の第１の側面によると、食物の保温温度データを得るステップと、食物の提供時刻データを予測するステップと、前記提供時刻データにより指示される時刻における食物の提供温度データを得るステップと、前記提供時刻データ、前記提供温度データ及び前記保温温度データに従って、食物の保温終了時刻データを決定するステップと、前記保温終了時刻データにより指示される時刻で、食物の保温を終了するステップとを含むことを特徴とする電子調理器の保温制御方法が提供される。
【０００６】
代替的に、電子調理器の保温制御方法は、食物の調理終了時刻データと、前記調理終了時刻データにより指示される時刻での食物の調理終了温度データとを得るステップと、前記調理終了時刻データ、前記調理終了温度データ及び前記保温温度データに従って、食物の保温開始時刻データを決定するステップと、前記保温開始時刻データにより指示される時刻で、食物の保温を開始するステップとを更に含む。
【０００７】
代替的に、電子調理器の保温制御方法は、調節後、食物が前記提供時刻データにより指示される時刻で提供温度となるように、前記保温終了時刻データにより指示される時刻で食物の温度を調節するステップを更に含む。
【０００８】
代替的に、前記提供時刻データ、前記提供温度データ及び前記保温温度データに従って、食物の前記保温終了時刻データを決定するステップは、現在の環境温度データを決定するステップと、前記保温温度データ、前記提供温度データ、前記環境温度データ、及び、電子調理器の内槽の断熱係数に従って、温度変化期間を決定するステップと、前記温度変化期間及び前記提供時刻データに従って、前記保温終了時刻データを決定するステップとを含み、前記温度変化期間は、前記提供時刻データにより指示される時刻と前記保温終了時刻データにより指示される時刻との差である。
【０００９】
代替的に、食物の前記提供時刻データを予測するステップは、事前に記録された調理終了の各時点の後に電子調理器を開ける時刻を含む履歴の提供記録の情報に従って、前記提供時刻データを予測するステップ、又は、前回の調理を終えた後に電子調理器を開く時刻を現在の日付での前記提供時刻データとするステップを含む。
【００１０】
代替的に、食物の前記提供時刻データを予測するステップは、ユーザが帰宅する経路の情報を得るステップと、ユーザが帰宅する交通手段の情報を得るステップと、ユーザが帰宅する経路の間の交通状況の情報を得るステップと、前記交通手段の情報及び前記交通状況の情報に従って、ユーザが帰宅する時の時刻データを予測するステップと、ユーザが帰宅する時の前記時刻データを前記提供時刻データとするステップとを含む。
【００１１】
代替的に、ユーザが帰宅する前記経路の情報を得るステップは、端末から送信されたユーザの現在位置の情報を受信するステップと、電子調理器が置かれている場所であるユーザの自宅の位置の情報を得るステップと、ユーザの前記現在位置の情報及びユーザの前記自宅の位置の情報に従って、ユーザが帰宅する前記経路の情報を決定するステップとを含む。
【００１２】
代替的に、前記提供時刻データにより指示される時刻における食物の前記提供温度データを得るステップは、前回の調理終了時刻の後に電子調理器を開ける時刻での食物の提供温度データを、前記提供温度データとするステップ、又は、予め設定された食物の推奨温度データを前記提供温度データとするステップ、又は、年齢範囲と温度との間の予め設定された対応関係に、ユーザが属する年齢範囲に応じて問い合わせをし、ユーザが属する年齢範囲に応じた温度データを得て、ユーザが属する年齢範囲に対応する前記温度データを前記提供温度データとして決定するステップを含む。
【００１３】
代替的に、食物の前記保温温度データを得るステップは、食物の名前を指示するための名前入力命令を受信するステップと、食物の名前と食物の保温温度との間の対応関係の記録情報である、名前入力命令と予めセットされた保温温度の対応関係に応じて、前記名前入力命令により指示された食物の名前に応じた対象の保温温度データを決定するステップと、前記対象の保温温度データを前記保温温度データとするステップとを含む。
【００１４】
本発明の実施形態の第２の側面によると、食物の保温温度データを得るように構成されている保温温度予測モジュールと、食物の提供時刻データを予測するように構成されている提供時刻予測モジュールと、前記提供時刻データにより指示される時刻における食物の提供温度データを得るように構成されている提供温度予測モジュールと、前記提供時刻データ、前記提供温度データ及び前記保温温度データに従って、食物の保温終了時刻データを決定するように構成されている保温終了時刻決定モジュールと、前記保温終了時刻データにより指示される時点で、食物の保温を終了するように構成されている保温終了モジュールとを備えることを特徴とする電子調理器の保温制御装置が提供される。
【００１５】
代替的に、電子調理器の保温制御装置は、食物の調理終了時刻データと、前記調理終了時刻データにより指示される時刻での食物の調理終了温度データとを得るように構成されている調理取得モジュールと、前記調理終了時刻データ、前記調理終了温度データ及び前記保温温度データに従って、食物の保温開始時刻データを決定するように構成されている保温開始時刻決定モジュールと、前記保温開始時刻データにより指示される時刻で、食物の保温を開始するように構成されている保温開始モジュールとを更に備える。
【００１６】
代替的に、電子調理器の保温制御装置は、調節後、食物が前記提供時刻データにより指示される時刻で提供温度となるように、前記保温終了時刻データにより指示される時刻で食物の温度を調節するように構成されている温度調節モジュールを更に備える。
【００１７】
代替的に、前記保温終了時刻決定モジュールは、現在の環境温度データを決定し、前記保温温度データ、前記提供温度データ、前記環境温度データ、及び、電子調理器の内槽の断熱係数に従って、温度変化期間を決定し、前記温度変化期間及び前記提供時刻データに従って、前記保温終了時刻データを決定するように構成され、前記温度変化期間は、前記提供時刻データにより指示される時刻と前記保温終了時刻データにより指示される時刻との差である。
【００１８】
代替的に、前記提供時刻予測モジュールは、事前に記録された調理終了の各時点の後に電子調理器を開ける時刻を含む履歴の提供記録の情報に従って、前記提供時刻データを予測する、又は、前回の調理を終えた後に電子調理器を開く時刻を現在の日付での前記提供時刻データとするように構成されている。
【００１９】
代替的に、前記提供時刻予測モジュールは、ユーザが帰宅する経路の情報を得るように構成されている経路取得サブモジュールと、ユーザが帰宅する交通手段の情報を得るように構成されている交通手段取得サブモジュールと、ユーザが帰宅する経路の間の交通状況の情報を得るように構成されている交通状況取得サブモジュールと、前記交通手段の情報及び前記交通状況の情報に従って、ユーザが帰宅する時の時刻データを予測するように構成されている到着時刻予測サブモジュールと、ユーザが帰宅する時の前記時刻データを前記提供時刻データとするように構成されている提供時刻決定サブモジュールとを備える。
【００２０】
代替的に、前記経路取得サブモジュールは、端末から送信されたユーザの現在位置の情報を受信し、電子調理器が置かれている場所であるユーザの自宅の位置の情報を得て、ユーザの前記現在位置の情報及びユーザの前記自宅の位置の情報に従って、ユーザが帰宅する前記経路の情報を決定するように構成されている。
【００２１】
代替的に、前記提供温度予測モジュールは、前回の調理終了時刻の後に電子調理器を開ける時刻での食物の提供温度データを、前記提供温度データとする、又は、予め設定された食物の推奨温度データを前記提供温度データとする、又は、年齢範囲と温度との間の予め設定された対応関係に、ユーザが属する年齢範囲に応じて問い合わせをし、ユーザが属する年齢範囲に応じた温度データを得て、ユーザが属する年齢範囲に対応する前記温度データを前記提供温度データとして決定するように構成されている。
【００２２】
代替的に、前記保温温度予測モジュールは、食物の名前を指示するための名前入力命令を受信し、食物の名前と食物の保温温度との間の対応関係の記録情報である、名前入力命令と予めセットされた保温温度の対応関係に応じて、前記名前入力命令により指示された食物の名前に応じた対象の保温温度データを決定し、前記対象の保温温度データを前記保温温度データとするように構成されている。
【００２３】
本発明の実施形態の第３の側面によると、プロセッサと、前記プロセッサにより実行される命令を記憶するためのメモリとを備え、前記プロセッサは、食物の保温温度データを得て、食物の提供時刻データを予測し、前記提供時刻データにより指示される時刻における食物の提供温度データを得て、前記提供時刻データ、前記提供温度データ及び前記保温温度データに従って、食物の保温終了時刻データを決定し、前記保温終了時刻データにより指示される時刻で、食物の保温を終了するように構成されていることを特徴とする電子調理器の保温制御装置が提供される。
【発明の効果】
【００２４】
本発明の実施形態によると、技術的な解決手段は次のような有利な効果を奏するであろう。食物の保温終了時刻データは、予測された食物の消費時刻データと消費温度データと保温温度データとに従って決定される。その結果、電子調理器は、調理終了後、保温終了時刻を決定できるであろう。それゆえ、従来技術と比較して、保温制御の柔軟性を高めることができる。従来技術においては、保温制御の柔軟性は比較的低い。なぜなら、電子調理器は、所定の期間の後、食物の保温を終了するので、食物は次第に温度が下がっていき、ユーザにとって最終的に得られる食物の望ましくない消費温度となるからである。
【００２５】
前述の一般的な記述と次に続く詳細な記述の両方は、例示および説明のためのものであり、本発明の開示を制限するものではないと理解されるべきである。
【図面の簡単な説明】
【００２６】
より明確な方法で本発明の実施形態を例示するために、実施形態を記述する際に用いる必要のある添付図面を簡潔に提示する。ここで記述される添付図面は、本発明のある実施形態を示すだけであり、技術分野における当業者にとって、創造的な仕事をせずに、これらの添付図面に基づいて、他の添付図面を得られることは明らかである。
【００２７】
【図１Ａ】本発明の様々な実施形態により与えられる電子調理器の保温制御方法に含まれる実装環境を示す構成図である。
【００２８】
【図１Ｂ】例となる実施形態に係る電子調理器の保温制御方法を示すフローチャートである。
【００２９】
【図２Ａ】例となる実施形態に係る電子調理器の別の保温制御方法を示すフローチャートである。
【００３０】
【図２Ｂ】例となる実施形態に係る食物の保温温度データを予測するフローチャートである。
【００３１】
【図２Ｃ】例となる実施形態に係る食物の提供時刻データを予測するフローチャートである。
【００３２】
【図２Ｄ】例となる実施形態に係るユーザが帰宅する経路上で情報を得るフローチャートである。
【００３３】
【図２Ｅ】例となる実施形態に係る食物の提供温度データを予測するフローチャートである。
【００３４】
【図２Ｆ】例となる実施形態に係る食物の保温終了時刻データを決定するフローチャートである。
【００３５】
【図２Ｇ】例となる実施形態に係る米飯を提供する調理からの時刻データと温度データを示す曲線グラフである。
【００３６】
【図３Ａ】例となる実施形態に係る電子調理器の保温制御装置を示すブロック図である。
【００３７】
【図３Ｂ】例となる実施形態に係る電子調理器の別の保温制御装置を示すブロック図である。
【００３８】
【図３Ｃ】例となる実施形態に係る電子調理器の更なる保温制御装置を示すブロック図である。
【００３９】
【図３Ｄ】例となる実施形態に係る提供時刻データ予測モジュールを示すブロック図である。
【００４０】
本明細書に取り入れられその一部を構成する添付図面は、本発明と整合する実施形態を例示し、詳細な説明とともに本発明の原理を説明するのに役立つものである。
【発明を実施するための形態】
【００４１】
例となる実施形態や添付図面において図示される例へ詳細に言及を行う。以下の記述では添付図面へ言及する。添付図面において、異なる図面の同一の符号は、他に示されなければ、同一の又は類似する構成要素を示す。例となる実施形態の以下の記述において明らかにされる実装は、本発明と整合する全ての実装を表すものではない。そうではなく、それらは、添付の特許請求の範囲に列挙される本発明に関連する観点と整合する装置及び方法の単なる例示にすぎない。
【００４２】
図１Ａは、本発明の様々な実施形態により与えられる電子調理器の保温制御方法に含まれる実装環境を示す構成図である。実装環境は、電子調理器１１と端末１２とを含む。
【００４３】
電子調理器１１は、端末１２と無線通信を確立する。電子調理器１１は、端末１２から送信される、ユーザが帰宅する経路の情報、ユーザが帰宅する交通手段の情報、ユーザが帰宅する経路の間の交通状態の情報などを受信する。その結果、電子調理器１１は、ユーザが自宅に到着する際の時刻データを予測することができ、それによって、食物の提供時刻データを決定する。同時に、電子調理器１１は、更に、端末１２から送信される、ユーザの現在の状態の情報、及び、ユーザの住宅の位置の情報を受信する。
【００４４】
端末１２は、携帯電話、タブレットコンピュータ、ラップトップやデスクトップなどでもよい。電子調理器１１と端末１２との間の通信を遂行するために、電子調理器１１を制御するアプリケーションクライアントが、端末１２にインストールされていてもよい。
【００４５】
図１Ｂは、例となる実施形態に係る電子調理器の保温制御方法を示すフローチャートである。電子調理器の保温制御方法は、以下のステップを含む。
【００４６】
ステップ１０１において、食物の保温温度データが得られる。
【００４７】
ステップ１０２において、食物の提供時刻データが予測される。
【００４８】
ステップ１０３において、提供時刻データにより指示される時刻における食物の提供温度データが得られる。
【００４９】
ステップ１０４において、提供時刻データ、提供温度データ及び保温温度データに従って、食物の保温終了時刻データが決定される。
【００５０】
ステップ１０５において、保温終了時刻データにより指示される時点で、食物の保温が終了される。
【００５１】
とりわけ、本発明の実施形態により提供される電子調理器の保温制御方法は、提供時刻データと提供温度データと保温温度データとに従って、食物の保温終了時刻データを決定する。その結果、電子調理器は、調理終了後、保温終了時刻を決定できるであろう。それゆえ、従来技術と比較して、保温制御の柔軟性を高めることができる。従来技術においては、保温制御の柔軟性は比較的低い。なぜなら、電子調理器は、所定の期間の後、食物の保温を終了するので、食物は次第に温度が下がっていき、ユーザにとって最終的に得られる食物の望ましくない提供温度となるからである。
【００５２】
図２Ａは、例となる実施形態に係る電子調理器の別の保温制御方法を示すフローチャートである。電子調理器を用いた保温制御方法は、以下のステップを含む。
【００５３】
ステップ２０１において、食物の保温温度データが得られる。
【００５４】
具体的には、食物の保温温度データは、様々な食物の材料の性質に依存しているので、食物の保温温度データは、食物名に従って得られてもよい。例えば、米飯は、セ氏６５度の温度で最適な風味となり、結果として、米飯の保温温度データは、セ氏６５度である。他の例として、牛乳は、セ氏６０度からセ氏７０度の温度で最適な風味となり、結果として、牛乳の保温温度データは、セ氏６０度からセ氏７０度である。さらに別の例として、自家製のヨーグルトは、セ氏３５度からセ氏４５度の温度で最適な風味となり、結果として、ヨーグルトの保温温度データは、セ氏３５度からセ氏４５度である。更なる例として、スープ（例えばリブスープ）は、セ氏６０度からセ氏７０度の温度で最適な風味となり、結果として、スープの保温温度データは、セ氏６０度からセ氏７０度である。温度データは、温度を指示するために用いられる。例えば、温度データがセ氏７０度であると、温度はセ氏７０度であると仮定されている。
【００５５】
食物の保温を開始する時刻データにより指示される時点での温度と、食物の保温を終了する時刻データにより指示される時点での温度とは、実際の応用では大変近いということに注意するべきである。それゆえ、本発明の実施形態においては、食物の保温を開始する時刻データにより指示される時点での温度と、食物の保温を終了する時刻データにより指示される時点での温度とは、まとめて食物の保温温度データとして言及される。
【００５６】
代替的に、図２Ｂに示されるように、ステップ２０１は、以下の３つのサブステップを含んでもよい。
【００５７】
サブステップ２０１１において、名前入力命令が受信される。
【００５８】
名前入力命令は、食物の名前を指示するために用いられる。例えば、電子調理器が米飯の保温を実行する場合、米飯の保温温度データは、受信した米飯の入力命令に従って得られる。そして、電子調理器が牛乳の保温を実行する場合、牛乳の保温温度データは、受信した牛乳の入力命令に従って得られる。
【００５９】
サブステップ２０１２において、名前入力命令により指示された食物の名前に応じた対象の保温温度データが、名前入力命令と予めセットされた保温温度の対応関係に応じて決定される。
【００６０】
保温温度の対応関係は、食物名と食物の保温温度との間の対応関係に関する記録情報のために用いられる。表１は、４つの食物名とそれらの保温温度の間の対応関係を示している。表１に示されるように、米飯の保温温度はセ氏６５度であり、リブスープの保温温度はセ氏６０度からセ氏７０度であり、牛乳の保温温度はセ氏６０度からセ氏７０度であり、ヨーグルトの保温温度はセ氏３５度からセ氏４５度である。現在の名前入力命令が米飯を示していると仮定すると、米飯に応じた対象の保温温度データは、名前入力命令と表１に従ってセ氏６５度であると決定される。現在の名前入力命令が牛乳を示していると仮定すると、牛乳に応じた対象の保温温度データは、名前入力命令と表１に従ってセ氏６０度からセ氏７０度であると決定される。
【００６１】
【表１】
2018503405.tif 000003
【００６２】
サブステップ２０１３において、対象の保温温度データは、保温温度データとみなされる。
【００６３】
サブステップ２０１２の後、サブステップ２０１２で決定された対象の保温温度データは、保温温度データとみなされる。サブステップ２０１２で決定されたリブスープに対応する対象の保温温度は、セ氏６０度からセ氏７０度であると仮定されるので、セ氏６０度からセ氏７０度の温度が、リブスープに対する保温温度とみなされる。
【００６４】
ステップ２０２において、食物の調理終了時刻データと、調理終了時刻データにより指示される時刻での食物の調理終了温度データとが得られる。
【００６５】
具体的には、食物の調理終了時刻データと、調理終了時刻データにより指示される時刻での食物の調理終了温度データとは、予め設定された時刻データと予め設定された温度データに従って決定される。例えば、食物の調理終了時刻データと、調理終了時刻データにより指示される時刻での食物の調理終了温度データとは、現在進行中の調理計画を読むことによって得られる。時刻データが時刻を指示するために用いられること、例えば、調理終了時刻データが調理終了時刻を指示するために用いられることに注意すべきである。
【００６６】
ステップ２０３において、食物の保温開始時刻データが、調理終了時刻データ、調理終了温度データ及び保温温度データに従って決定される。
【００６７】
具体的には、ステップ２０３は、調理終了温度データ及び保温温度データに従って、食物の調理終了時刻データにより指示される時刻から、食物の保温開始時刻データにより指示される時刻までの期間を決定するステップと、食物の調理終了時刻データにより指示される時刻と、食物の保温開始時刻データとしての期間を合計するステップと、を含む。調理終了温度データ及び保温温度データに従って、食物の調理終了時刻データにより指示される時刻から、食物の保温開始時刻データにより指示される時刻までの期間を決定することの具体的な詳細は、関連技術を参照してもよく、本発明の実施形態により詳細に説明はしない。
【００６８】
ステップ２０４において、食物の提供時刻データが予測される。
【００６９】
食物の提供時刻データとは、食物がユーザによって出される時刻データをいう。現在ユーザが帰宅途中であると仮定すると、ユーザが帰宅した後すぐにおいしい食物を食べられるようにするために、ユーザが帰宅すると予測される時の時刻データは、提供時刻データと考えられてよい。例えば、ユーザが帰宅する時の時刻データが１８：２０であると予測されると、１８：２０は、食物の提供時刻データと考えれらる。もちろんユーザが帰宅すると予測される時の時刻データにより指示される時点が所定の期間遅れた後、遅れた時刻データが食物の提供時刻データと考えられる。例えば、ユーザが帰宅する時の時刻データが１８：２０であると予測され、食物を食べる前の短い休憩や準備作業の間隔として１０分とられて、１８：３０が食物の提供時刻データと考えられてよい。
【００７０】
ステップ２０４は、実行される様々な方法を含む。代替的に、ステップ２０４は、履歴の提供記録の情報に従って、提供時刻データを予測するステップを含んでもよい。履歴の提供記録の情報は、事前に記録された調理終了の各時点の後に電子調理器を開ける時刻を含む。本発明の実施形態によると、調理終了の各時点の後に電子調理器を開ける時刻データは、食物の提供時刻データと考えられる。その結果、食物の提供時刻データは、ユーザの履歴の提供記録の情報を読む方法によって予測される。履歴の提供記録の情報は、現在の期間に対応する電子調理器を開ける時刻データを含むことに注意すべきである。現在予測される時刻データが夕食の提供時刻データである場合、履歴の提供記録の情報は、朝食や昼食のその時刻の他に、前もって記録された夕食の調理終了の各時刻の後に電子調理器を開ける時刻を含む。現在予測される時刻データが昼食の提供時刻データである場合、履歴の提供記録の情報は、朝食や夕食のその時刻の他に、前もって記録された昼食の調理終了の各時刻の後に電子調理器を開ける時刻を含む。履歴の提供記録の情報は、前もって記録された食物の調理終了の全ての時刻の後に電子調理器を開ける全ての時刻を含むので、食物の調理終了の全ての時刻の後に電子調理器を開ける複数の時刻の平均は、食物の提供時刻データと考えられてよい。他の予測アルゴリズムも食物の提供時刻データを予測するために用いられてよいが、本発明の実施形態によってここで限定はしない。実例として、表２は、履歴の提供記録の情報を示す表である。表２に示されるように、履歴の提供記録の情報は、１０月１日から５日までの毎晩の夕食の調理終了の各時刻の後に電子調理器を開ける時刻、すなわち、毎晩の食物の提供時刻データを含む。表２から見られるように、１０月１日の晩の夕食の調理終了時刻の後に電子調理器を開ける時刻は１８：４０であり、１０月３日の晩の夕食の調理終了時刻の後に電子調理器を開ける時刻は１８：２５である。したがって、１０月１日から５日までの毎晩の夕食の調理終了時刻の後に電子調理器を開ける５つの時刻の平均は１８：３５であると算出される。結果として、現在の日付での提供時刻データは１８：３５であってよい。
【００７１】
【表２】
2018503405.tif 000004
【００７２】
代替的に、ステップ２０４は、前回の調理を終えた後に電子調理器を開く時刻を現在の日付での提供時刻データとするステップを含んでもよい。前回の調理を終えた時刻の後に電子調理器を開く時刻は、現在の日付での電子調理器を開く時刻に対応するということに注意すべきである。現在予測される時刻が夕食の提供時刻データである場合、前回の調理終了時刻の後に電子調理器を開ける時刻は、前回の夕食の調理終了時刻の後に電子調理器を開ける時刻を参照する。現在の日付が１０月６日であり、前回（すなわち１０月５日）の夕食の調理終了時刻の後に電子調理器を開ける時刻は１８：５０であると仮定すると、１０月６日の１８：５０は、夕食の提供時刻データとされる。
【００７３】
代替的に、図２Ｃに示されるように、ステップ２０４は、以下の５つのサブステップを含んでもよい。
【００７４】
サブステップ２０４１において、ユーザが帰宅する（自宅へ戻る）経路の情報が得られる。
【００７５】
自宅は電子調理器が置かれている場所である。ユーザが帰宅する経路の情報は、開始地点から目的地までの進んだ経路の情報を含む。ここで、開始地点はユーザの現在位置を示し、目的地はユーザの自宅を示す。同じ交通手段でも、ユーザが帰宅する経路が長い場合、ユーザは遅く自宅に到着するだろうし、ユーザが帰宅する経路が短い場合、ユーザは早く自宅に到着するだろう。結果として、ユーザが帰宅する経路は、ユーザが自宅に到着する時刻データに影響する。経路の情報は、前もって電子調理器に記憶された経路情報でもよい。例えば、ユーザが仕事後に会社から帰宅する経路の情報は、一般に毎日一定であるので、この経路情報は前もって電子調理器に記憶されてもよい。経路に関する情報は、ユーザ側の端末から送信された実時間の経路情報でもよく、又はユーザの現在位置の情報とユーザの自宅の位置の情報とに従って電子調理器によって決定された位置情報でもよい。
【００７６】
サブステップ２０４２において、ユーザが帰宅する交通手段の情報が得られる。
【００７７】
ユーザは、様々な交通手段で帰宅するだろう。例えば、歩いたり、バイクに乗ったり、バスに乗ったり、車を運転したりする。ユーザは、徒歩で、バイクに乗って、バスに乗って、又は車を運転して帰宅するだろうが、本発明の実施形態によって、それはここでは限定されない。ユーザが帰宅する同じ経路に対して、ユーザは、車を運転するよりもバスに乗る方が、帰宅するのにずっと長い時間がかかるだろう。したがって、ユーザが帰宅する交通手段は、ユーザが帰宅する時の時刻データに影響する。交通手段の情報は、前もって電子調理器に記憶されてもよく、ユーザ側の端末から送信されてもよい。
【００７８】
サブステップ２０４３において、ユーザが帰宅する経路の間の交通状況の情報が得られる。
【００７９】
実例として、ユーザが帰宅する経路の間の交通状況がすいている場合は、ユーザは早く帰宅するだろうし、ユーザが帰宅する経路の間の交通状況が混雑している場合は、ユーザは遅れて帰宅するだろう。したがって、ユーザが帰宅する時の時刻データをよりよく予測するために、ユーザが帰宅する経路の間の交通状況の情報は実時間で監視されるべきである。交通状況の情報は、ユーザ側の端末から送信されてよい。ユーザ側の端末は、ユーザが帰宅する経路の間の交通状況を実時間で監視し、電子調理器へ交通状況の情報を送信する。実例として、端末は、ナビゲーターアプリケーションを介して、ユーザが帰宅する経路の間の交通状況を実時間で監視してもよい。
【００８０】
サブステップ２０４４において、交通手段の情報及び交通状況の情報に従って、ユーザが帰宅する時の時刻データが予測される。
【００８１】
具体的には、交通状況がすいている場合のユーザが帰宅する時の時刻データは、ユーザが帰宅する交通手段の情報に従って得られる。現在の交通状況が混雑している場合、交通で動かなくなっている期間が予測され、ユーザが帰宅する時の時刻データにより指示される時刻からそのような期間を遅らせた後の時刻データが、ユーザが帰宅する時の時刻データとされる。
【００８２】
サブステップ２０４５において、ユーザが帰宅する時の時刻データが提供時刻データとされる。
【００８３】
ユーザが帰宅する時の時刻データが予測された後、自宅に到着するそのような時刻データは、提供時刻データと見なされる。もちろん、ユーザが帰宅すると予測された時の時刻データに指示された時刻から予め設定された期間延期させた後の時刻データも、提供時刻データと見なされる。その結果、ユーザは、食物を食べる前に、短い休息を取ったりや準備作業をしたりしてもよい。
【００８４】
代替的に、図２Ｄに示されるように、サブステップ２０４１は、以下のサブステップを含んでもよい。
【００８５】
サブステップ２０４１ａにおいて、端末から送信されたユーザの現在位置の情報が受信される。
【００８６】
実例として、端末は、ユーザの現在位置を特定し、ユーザの現在位置を電子調理器へ送信する。具体的には、端末は、グローバルポジショニングシステム（ＧＰＳ）を介して、ユーザの現在位置を特定する。
【００８７】
サブステップ２０４１ｂにおいて、ユーザの自宅の位置の情報が得られる。
【００８８】
具体的には、ユーザの自宅の位置の情報は、電子調理器によってユーザの自宅の位置を特定することにより得られてもよいし、端末によってユーザの自宅の位置を特定し電子調理器に自宅の位置の情報を送信することにより得られてもよい。その結果、電子調理器は、ユーザの自宅の位置の情報を得る。
【００８９】
サブステップ２０４１ｃにおいて、ユーザの現在位置の情報及びユーザの自宅の位置の情報に従って、ユーザが帰宅する経路の情報が決定される。
【００９０】
代替的に、電子調理器が、ユーザの現在位置の情報及びユーザの自宅の位置の情報に従って、ユーザが帰宅する経路の情報を決定してもよい。電子調理器は、ユーザの現在位置の情報及びユーザの自宅の位置の情報をウェッブサーバへ送信してもよく、ウェッブサーバによって、ユーザの現在位置の情報及びユーザの自宅の位置の情報に従って、ユーザが帰宅する経路の情報が決定される。そして、決定されたユーザが帰宅する経路の情報は、電子調理器へ送信される。さらに、
、端末が、ナビゲーションアプリケーションを介して、ユーザの現在位置の情報及びユーザの自宅の位置の情報に従って、ユーザが帰宅する経路の情報を決定し、ユーザが帰宅する経路の情報を電子調理器へ送信してもよい。
【００９１】
ステップ２０５において、提供時刻データにより指示される時刻での食物の提供温度データが得られる。
【００９２】
調整後、提供時刻データにより指示される時刻で、食物がユーザがその食物をすぐに食べてもよい提供温度であるように、保温終了時刻データにより指示される時刻での食物の温度を調節するために、食物の提供時刻データにより指示される時刻での提供温度データを得る。
【００９３】
ステップ２０５は、複数の実行方法を含んでもよい。代替的に、ステップ２０５は、前回の調理終了時刻の後に電子調理器を開ける時刻での食物の提供温度データを、提供温度データとするステップを含んでもよい。実例として、前回の調理終了時刻の後に電子調理器を開ける時刻での米飯の提供温度データは、セ氏６０度であるので、セ氏６０度が米飯の現在の提供温度データとみなしてもよい。
【００９４】
代替的に、ステップ２０５は、予め設定された食物の推奨温度データを提供温度データとするステップを含んでもよい。実例として、米飯の推奨温度はセ氏６０度であるので、セ氏６０度が米飯の現在の提供温度データとされてもよい。リブスープの推奨温度はセ氏７５度であるので、セ氏７５度がリブスープの現在の提供温度データとされてもよい。
【００９５】
代替的に、図２Ｅに示されるように、ステップ２０５は、以下のステップを含んでもよい。
【００９６】
サブステップ２０５１において、年齢範囲と温度との間の予め設定された対応関係が、ユーザが属する年齢範囲に応じて問い合わせをされ、ユーザが属する年齢範囲に応じた温度データが得られる。
【００９７】
表３は、同じ食物を食べた時の年齢範囲と温度との間の対応関係を示している。表３に示されるように、ユーザが３５歳であると仮定すると、２０−４０歳がユーザの属する年齢範囲であり、ユーザの属する２０−４０歳の年齢範囲に対応する温度データは、表３に問い合わせることによりセ氏６５度である。
【００９８】
【表３】
2018503405.tif 000005
【００９９】
サブステップ２０５２において、ユーザが属する年齢範囲に対応する温度データが提供温度データとして決定される。
【０１００】
ユーザが３５歳であると仮定すると、２０−４０歳がユーザの属する年齢範囲であり、ユーザの属する２０−４０歳の年齢範囲に対応する温度データは、表３に問い合わせることによりセ氏６５度であり、セ氏６５度が食物の提供温度データとして決定される。
【０１０１】
ステップ２０６において、食物の保温終了時刻データが、提供時刻データ、提供温度データ及び保温温度データに従って決定される。
【０１０２】
食物の保温終了時刻データは、ステップ２０４において予測された提供時刻データ、ステップ２０５により得られた食物の提供時刻データにより指示される時刻での提供温度データ、及び、ステップ２０１において得られた食物の保温温度データに従って決定され、そして、保温終了時刻データにより指示された時刻で食物の保温を終了することとなる。
【０１０３】
ステップ２０６は、図２Ｆに示されるように、以下の３つのサブステップを含む。
【０１０４】
サブステップ２０６１において、現在の環境温度データが決定される。
【０１０５】
環境温度データは、環境の寒さ又は暑さの程度を反映するために用いられる。食物の提供温度データにより指示される時刻と保温終了時刻データにより指示される時刻との間の違いを決定するために、現在の環境温度データが最初に決定される。
【０１０６】
サブステップ２０６２において、保温温度データ、提供温度データ、環境温度データ、及び、電子調理器の内槽（内釜）の断熱係数に従って、温度変化期間が決定される。
【０１０７】
温度変化期間は、提供時刻データにより指示される時刻と保温終了時刻データにより指示される時刻との差である。電子調理器の内槽は、熱伝導率を示す断熱係数をもつ。実例として、食物の保温温度が食物の提供時刻の提供温度より高い場合、温度変化期間は、保温温度データ、提供温度データ、環境温度データ、及び、電子調理器の内槽の熱伝導率に従う熱伝導式を用いて決定される。熱伝導式は、
【数１】
2018503405.tif 000006
である。ここで、ｔは温度変化期間を表し、Ｑは熱放散能力であり、σは内槽の厚さであり、λは内槽の熱伝導率であり、Ａは食物が内槽と接触する面積であり、Ｔ１は食物の保温温度であり、Ｔ２は食物の提供時刻における提供温度である。
【０１０８】
サブステップ２０６３において、温度変化期間及び提供時刻データに従って、保温終了時刻データが決定される。
【０１０９】
提供時刻データと温度変化期間との間の差は、保温終了時刻データとみなされる。提供時刻が１８：３０であり、温度変化期間が３０分であると仮定すると、保温終了時刻は１８：００であってよい。
【０１１０】
ステップ２０７において、保温開始時刻データにより指示される時刻で、食物の保温が開始される。
【０１１１】
ステップ２０３で決定される食物の保温開始時刻データで、食物の保温が開始される。実例として、決定された保温開始時刻データが１７：４０であると仮定すると、保温は１７：４０に開始される。
【０１１２】
ステップ２０８において、保温終了時刻データにより指示される時刻で、食物の保温が終了される。
【０１１３】
実例として、食物の保温終了時刻データが１８：００であると仮定すると、食物の保温は１８：００に終了される。
【０１１４】
ステップ２０９において、調節後、食物が提供時刻データにより指示される時刻で提供温度となるように、保温終了時刻データにより指示される時刻で食物の温度が調節される。
【０１１５】
例えば、ユーザＡは米飯がセ氏５０度で提供されることを要求するが、ユーザＢは米飯がセ氏７０度で提供されることを要求するように、異なるユーザが同一の食物の提供温度に対して異なる要求をもっているので、異なるユーザによる食物の提供温度に対する異なる要求を満たすため、本発明の実施形態に従うと、食物の温度は保温終了時刻データにより指示される時刻で調節され、その結果、調節後、食物は、提供時刻データにより指示される時刻で予め定められた提供温度となる。食物の提供温度は、食物の保温温度より高いかもしれないし低いかもしれない。食物の提供温度が食物の保温温度より高い場合は、電子調理器は、保温終了時刻データにより指示される時刻で食物を加熱する。一方、食物の提供温度が食物の保温温度より低い場合は、電子調理器は、保温終了時刻データにより指示される時刻で食物を冷却する。
【０１１６】
図２Ｇは、米飯を提供する調理からの時刻データと温度データを示す曲線グラフである。図２Ｇにおいて、Ｔ１は米飯の調理終了時刻であり、Ｗ１は米飯の調理終了時点での調理終了温度である。Ｔ２は米飯の保温開始時刻であり、Ｗ２は保温開始時刻での米飯の保温温度である。Ｔ３は米飯の保温終了時刻であり、Ｗ３は保温終了時刻での米飯の保温温度であり、Ｗ３とＷ２は概ね等しい。Ｔ４は米飯の提供時刻であり、Ｗ４は提供時刻での米飯の提供温度であり、Ｗ４＜Ｗ３である。図２Ｇの各時点及び温度は以下のように算出される。
【０１１７】
ステップ２０１が実行されて、米飯の保温温度データＷ２（又はＷ３）を得る。
【０１１８】
ステップ２０２が実行されて、米飯の調理終了時点データＴ１、及び、米飯の調理終了時点データにより指示される時点での調理終了温度データＷ１を得る。
【０１１９】
ステップ２０３が実行されて、調理終了温度データＷ１及び保温温度データＷ２に従って、米飯の調理終了時刻データＴ１により指示される時刻から、米飯の保温開始時刻データＴ２により指示される時刻までの期間を決定し、調理終了時刻データＴ１により指示される時刻と、米飯の保温開始時刻データＴ２としての期間を合計する。
【０１２０】
ステップ２０４が実行されて、米飯の提供時刻データＴ４を予測する。
【０１２１】
ステップ２０５が実行されて、米飯の提供時刻データＴ４により指示される時刻での提供温度データＷ４を得る。
【０１２２】
ステップ２０６が実行されて、保温温度データＷ２（又はＷ３）、提供温度データＷ４、環境温度データＷ５、及び、電子調理器の内槽の断熱係数λに従って、温度変化期間ｔが決定され、提供時刻データＴ４と温度変化期間との間の差が米飯の保温終了時刻データＴ３とみなされる。
【０１２３】
ステップ２０７から２０９までが実行されて、保温開始時刻データＴ２により指示される時刻で米飯の保温が開始し、保温終了時刻データＴ３により指示される時刻で米飯の保温が終了し、保温終了時刻データＴ３により指示される時刻で米飯を冷却し、その結果、米飯は、提供時刻データＴ４により指示される時刻で提供温度Ｗ４となる。
【０１２４】
ここまで、米飯は、ユーザが帰宅する時、ユーザにより望まれた正確な提供温度となる。ユーザが食事の前に米飯を冷却又は加熱するために待つ必要はないため、ユーザにとって時間の節約になる。図２Ｇは、単に、米飯が、米飯の保温終了時刻での保温温度より低い提供温度となるという場合を示しているが、本発明の実施形態は、米飯が、米飯の保温終了時刻での保温温度より高い提供温度となるという場合にも適していることに更に注意すべきである。
【０１２５】
本発明の実施形態により提供される電子調理器の保温制御方法におけるステップの列は、適切に調整されてよく、適宜必要に応じて、ステップは、加えられたり削除されたりしてよい。本発明によって開示された技術的範囲内の技術の当業者にとって明らかなどのような方法も、本発明の保護範囲内に含まれるが、ここでは詳細に説明しない。
【０１２６】
とりわけ、本発明の実施形態により提供される電子調理器の保温制御方法にとって、食物の保温終了時刻データは、予測された食物の提供時刻データと提供温度データと保温温度データとに従って決定される。その結果、電子調理器は、調理終了後、保温終了時刻を決定できるであろう。それゆえ、従来技術と比較して、保温制御の柔軟性を高めることができる。従来技術においては、保温制御の柔軟性は比較的低い。なぜなら、電子調理器は、所定の期間の後、食物の保温を終了するので、食物は次第に温度が下がっていき、ユーザにとって最終的に得られる食物の望ましくない提供温度となるからである。結果として、ユーザは、冷却や加熱のために待つことなく、帰宅したのちすぐに直接食物を食べられるだろう。それゆえ、ユーザにとって時間の節約になる。
【０１２７】
下記の本発明の装置の実施形態は、本発明の方法の実施形態を実行するために用いられる。装置の実施形態において開示されない詳細な説明は、本発明の方法の実施形態を参照するであろう。
【０１２８】
図３Ａは、例となる実施形態に係る電子調理器の保温制御装置を示すブロック図である。電子調理器の保温制御装置は、保温温度予測モジュール３０１、提供時刻予測モジュール３０２、提供温度予測モジュール３０３、保温終了時刻決定モジュール３０４、及び、保温終了モジュール３０５を含む。
【０１２９】
保温温度予測モジュール３０１は、食物の保温温度データを得るように構成されている。
【０１３０】
提供時刻予測モジュール３０２は、食物の提供時刻データを予測するように構成されている。
【０１３１】
提供温度予測モジュール３０３は、提供時刻データにより指示される時刻における食物の提供温度データを得るように構成されている。
【０１３２】
保温終了時刻決定モジュール３０４は、提供時刻データ、提供温度データ及び保温温度データに従って、食物の保温終了時刻データを決定するように構成されている。
【０１３３】
保温終了モジュール３０５は、保温終了時刻データにより指示される時点で、食物の保温を終了するように構成されている。
【０１３４】
とりわけ、本発明の実施形態により提供される電子調理器の保温制御装置は、予測された食物の提供時刻データと提供温度データと保温温度データとに従って、食物の保温終了時刻データを決定する。その結果、電子調理器は、調理終了後、保温終了時刻を決定できるであろう。それゆえ、従来技術と比較して、保温制御の柔軟性を高めることができる。従来技術においては、保温制御の柔軟性は比較的低い。なぜなら、電子調理器は、所定の期間の後、食物の保温を終了するので、食物は次第に温度が下がっていき、ユーザにとって最終的に得られる食物の望ましくない提供温度となるからである。
【０１３５】
代替的に、図３Ｂに示されるように、電子調理器の保温制御装置は、更に、調理取得モジュール３０６、保温開始時刻決定モジュール３０７、及び、保温開始モジュール３０８を含んでもよい。
【０１３６】
調理取得モジュール３０６は、食物の調理終了時刻データと、調理終了時刻データにより指示される時刻での食物の調理終了温度データとを得るように構成されている。
【０１３７】
保温開始時刻決定モジュール３０７は、調理終了時刻データ、調理終了温度データ及び保温温度データに従って、食物の保温開始時刻データを決定するように構成されている。
【０１３８】
保温開始モジュール３０８は、保温開始時刻データにより指示される時刻で、食物の保温を開始するように構成されている。
【０１３９】
代替的に、図３Ｃに示されるように、電子調理器の保温制御装置は、更に、温度調節モジュール３０９を含んでもよい。
【０１４０】
温度調節モジュール３０９は、調節後、食物が提供時刻データにより指示される時刻で提供温度となるように、保温終了時刻データにより指示される時刻で食物の温度を調節するように構成されている。
【０１４１】
代替的に、保温終了時刻決定モジュール３０４は、更に、以下のように構成されている。
現在の環境温度データを決定する；
保温温度データ、提供温度データ、環境温度データ、及び、電子調理器の内槽の断熱係数に従って、温度変化期間を決定する。温度変化期間は、提供時刻データにより指示される時刻と保温終了時刻データにより指示される時刻との差である；
温度変化期間及び提供時刻データに従って、保温終了時刻データを決定する。
【０１４２】
代替的に、提供時刻予測モジュール３０２は、以下のように構成されている。
事前に記録された調理終了の各時点の後に電子調理器を開ける時刻を含む履歴の提供記録の情報に従って、提供時刻データを予測する。
又は、前回の調理を終えた後に電子調理器を開く時刻を現在の日付での提供時刻データとする。
【０１４３】
代替的に、図３Ｄに示されるように、提供時刻予測モジュール３０２は、以下のサブモジュールを含む。
経路取得サブモジュール３０２１は、ユーザが帰宅する経路の情報を得るように構成されている。
交通手段取得サブモジュール３０２２は、ユーザが帰宅する交通手段の情報を得るように構成されている。
交通状況取得サブモジュール３０２３は、ユーザが帰宅する経路の間の交通状況の情報を得るように構成されている。
到着時刻予測サブモジュール３０２４は、交通手段の情報及び交通状況の情報に従って、ユーザが帰宅する時の時刻データを予測するように構成されている。
提供時刻決定サブモジュール３０２５は、ユーザが帰宅する時の時刻データを提供時刻データとするように構成されている。
【０１４４】
代替的に、経路取得サブモジュール３０２１は、以下のように構成されている。
端末から送信されたユーザの現在位置の情報を受信する；
ユーザの自宅の位置の情報を得る。自宅は電子調理器が置かれている場所である；
ユーザの現在位置の情報及びユーザの自宅の位置の情報に従って、ユーザが帰宅する経路の情報を決定する。
【０１４５】
代替的に、提供温度予測モジュール３０３は、以下のように構成されている。
前回の調理終了時刻の後に電子調理器を開ける時刻での食物の提供温度データを、提供温度データとする。
又は、予め設定された食物の推奨温度データを提供温度データとする。
又は、年齢範囲と温度との間の予め設定された対応関係に、ユーザが属する年齢範囲に応じて問い合わせをし、ユーザが属する年齢範囲に応じた温度データを得て、ユーザが属する年齢範囲に対応する温度データを提供温度データとして決定する。
【０１４６】
代替的に、保温温度予測モジュール３０１は、以下のように構成されている。
食物の名前を指示するための名前入力命令を受信する；
食物の名前と食物の保温温度との間の対応関係の記録情報の、名前入力命令と予めセットされた保温温度の対応関係に応じて、名前入力命令により指示された食物の名前に応じた対象の保温温度データを決定する；
対象の保温温度データを保温温度データとみなす。
【０１４７】
とりわけ、本発明の実施形態により提供される電子調理器の保温制御装置は、予測された食物の提供時刻データと提供温度データと保温温度データとに従って、食物の保温終了時刻データを決定する。その結果、電子調理器は、調理終了後、保温終了時刻を決定できるであろう。それゆえ、従来技術と比較して、保温制御の柔軟性を高めることができる。従来技術においては、保温制御の柔軟性は比較的低い。なぜなら、電子調理器は、所定の期間の後、食物の保温を終了するので、食物は次第に温度が下がっていき、ユーザにとって最終的に得られる食物の望ましくない提供温度となるからである。結果として、ユーザは、冷却や加熱のために待つことなく、帰宅したのちすぐに直接食物を食べられるだろう。それゆえ、ユーザにとって時間の節約になる。
【０１４８】
上記の実施形態における装置に関して、その中の個別のモジュールに対する操作を実行する特定の方法は、電子調理器の保温制御方法に関する実施形態において詳細に説明したので、ここでは詳細に説明しない。
【０１４９】
例となる実施形態では、前述の方法を行うために、装置の中のメモリに含まれ、プロセッサによって実行される命令を含む非一時的なコンピュータ読み取り可能な記憶媒体も提供される。例えば、非一時的なコンピュータ読み取り可能な記憶媒体は、読出し専用メモリ（ＲＯＭ）、ランダムアクセスメモリ（ＲＡＭ）、ＣＤ−ＲＯＭ、磁気テープ、フロッピー（登録商標）ディスク、光学データ記憶装置などであってもよい。
【０１５０】
非一時的なコンピュータ読み取り可能な記憶媒体は、その記憶媒体に含まれる命令が装置のプロセッサによって実行されるとき、装置に上記の様々な実施形態により提供される電子調理器の保温制御方法を実行させることを可能とする
【０１５１】
発明の他の実施形態は、ここで開示された仕様や実例を考慮すれば、技術分野の当業者には明らかであろう。本出願は、本発明の一般原理に従う発明のいかなる変形例、使用、又は、適用をも伝えることを意図しており、技術分野において既知の又は慣例の実践の範囲内にある本発明からの逸脱をも含む。仕様と実例は、例示としてのみ考慮されることを意図しており、発明の真の範囲と精神は、以下のクレームにより示されている。
【０１５２】
本発明は、上述し添付図面で説明したそのとおりの構成に限定されるものではなく、その範囲から離れることなく様々な修正および変更がなされることが可能であることが理解されるであろう。本発明の範囲は、添付の特許請求の範囲によってのみ限定される、ということが意図されている。
【符号の説明】
【０１５３】
１１・・・・・・電子調理器
１２・・・・・・端末
３０１・・・・・保温温度予測モジュール
３０２・・・・・提供時刻予測モジュール
３０３・・・・・提供温度予測モジュール
３０４・・・・・保温終了時刻決定モジュール
３０５・・・・・保温終了モジュール
３０６・・・・・調理取得モジュール
３０７・・・・・保温開始時刻決定モジュール
３０８・・・・・保温開始モジュール
３０９・・・・・温度調節モジュール
３０２１・・・・経路取得サブモジュール
３０２２・・・・交通手段取得サブモジュール
３０２３・・・・交通状況取得サブモジュール
３０２４・・・・到着時刻予測サブモジュール
３０２５・・・・提供時刻決定サブモジュール
【図１Ａ】
2018503405.tif 000007
【図１Ｂ】
2018503405.tif 000008
【図２Ａ】
2018503405.tif 000009
【図２Ｂ】
2018503405.tif 000010
【図２Ｃ】
2018503405.tif 000011
【図２Ｄ】
2018503405.tif 000012
【図２Ｅ】
2018503405.tif 000013
【図２Ｆ】
2018503405.tif 000014
【図２Ｇ】
2018503405.tif 000015
【図３Ａ】
2018503405.tif 000016
【図３Ｂ】
2018503405.tif 000017
【図３Ｃ】
2018503405.tif 000018
【図３Ｄ】
2018503405.tif 000019
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
食物の保温温度データを得るステップと、
食物の提供時刻データを予測するステップと、
前記提供時刻データにより指示される時刻における食物の提供温度データを得るステップと、
前記提供時刻データ、前記提供温度データ及び前記保温温度データに従って、食物の保温終了時刻データを決定するステップと、
前記保温終了時刻データにより指示される時刻で、食物の保温を終了するステップと
を含むことを特徴とする電子調理器の保温制御方法。
【請求項２】
食物の調理終了時刻データと、前記調理終了時刻データにより指示される時刻での食物の調理終了温度データとを得るステップと、
前記調理終了時刻データ、前記調理終了温度データ及び前記保温温度データに従って、食物の保温開始時刻データを決定するステップと、
前記保温開始時刻データにより指示される時刻で、食物の保温を開始するステップと
を更に含むことを特徴とする請求項１に記載の電子調理器の保温制御方法。
【請求項３】
調節後、食物が前記提供時刻データにより指示される時刻で提供温度となるように、前記保温終了時刻データにより指示される時刻で食物の温度を調節するステップ
を更に含むことを特徴とする請求項１又は請求項２に記載の電子調理器の保温制御方法。
【請求項４】
前記提供時刻データ、前記提供温度データ及び前記保温温度データに従って、食物の前記保温終了時刻データを決定するステップは、
現在の環境温度データを決定するステップと、
前記保温温度データ、前記提供温度データ、前記環境温度データ、及び、電子調理器の内槽の断熱係数に従って、温度変化期間を決定するステップと、
前記温度変化期間及び前記提供時刻データに従って、前記保温終了時刻データを決定するステップと
を含み、
前記温度変化期間は、前記提供時刻データにより指示される時刻と前記保温終了時刻データにより指示される時刻との差である
ことを特徴とする請求項１乃至請求項３のいずれか１項に記載の電子調理器の保温制御方法。
【請求項５】
食物の前記提供時刻データを予測するステップは、
事前に記録された調理終了の各時点の後に電子調理器を開ける時刻を含む履歴の提供記録の情報に従って、前記提供時刻データを予測するステップ、又は、
前回の調理を終えた後に電子調理器を開く時刻を現在の日付での前記提供時刻データとするステップ
を含むことを特徴とする請求項１乃至請求項４のいずれか１項に記載の電子調理器の保温制御方法。
【請求項６】
食物の前記提供時刻データを予測するステップは、
ユーザが帰宅する経路の情報を得るステップと、
ユーザが帰宅する交通手段の情報を得るステップと、
ユーザが帰宅する経路の間の交通状況の情報を得るステップと、
前記交通手段の情報及び前記交通状況の情報に従って、ユーザが帰宅する時の時刻データを予測するステップと、
ユーザが帰宅する時の前記時刻データを前記提供時刻データとするステップと
を含むことを特徴とする請求項１乃至請求項４のいずれか１項に記載の電子調理器の保温制御方法。
【請求項７】
ユーザが帰宅する前記経路の情報を得るステップは、
端末から送信されたユーザの現在位置の情報を受信するステップと、
電子調理器が置かれている場所であるユーザの自宅の位置の情報を得るステップと、
ユーザの前記現在位置の情報及びユーザの前記自宅の位置の情報に従って、ユーザが帰宅する前記経路の情報を決定するステップと
を含むことを特徴とする請求項６に記載の電子調理器の保温制御方法。
【請求項８】
前記提供時刻データにより指示される時刻における食物の前記提供温度データを得るステップは、
前回の調理終了時刻の後に電子調理器を開ける時刻での食物の提供温度データを、前記提供温度データとするステップ、又は、
予め設定された食物の推奨温度データを前記提供温度データとするステップ、又は、
年齢範囲と温度との間の予め設定された対応関係に、ユーザが属する年齢範囲に応じて問い合わせをし、ユーザが属する年齢範囲に応じた温度データを得て、ユーザが属する年齢範囲に対応する前記温度データを前記提供温度データとして決定するステップ
を含むことを特徴とする請求項１乃至請求項７のいずれか１項に記載の電子調理器の保温制御方法。
【請求項９】
食物の前記保温温度データを得るステップは、
食物の名前を指示するための名前入力命令を受信するステップと、
食物の名前と食物の保温温度との間の対応関係の記録情報である、名前入力命令と予めセットされた保温温度の対応関係に応じて、前記名前入力命令により指示された食物の名前に応じた対象の保温温度データを決定するステップと、
前記対象の保温温度データを前記保温温度データとするステップと
を含むことを特徴とする請求項１乃至請求項８のいずれか１項に記載の電子調理器の保温制御方法。
【請求項１０】
食物の保温温度データを得るように構成されている保温温度予測モジュールと、
食物の提供時刻データを予測するように構成されている提供時刻予測モジュールと、
前記提供時刻データにより指示される時刻における食物の提供温度データを得るように構成されている提供温度予測モジュールと、
前記提供時刻データ、前記提供温度データ及び前記保温温度データに従って、食物の保温終了時刻データを決定するように構成されている保温終了時刻決定モジュールと、
前記保温終了時刻データにより指示される時点で、食物の保温を終了するように構成されている保温終了モジュールと
を備えることを特徴とする電子調理器の保温制御装置。
【請求項１１】
食物の調理終了時刻データと、前記調理終了時刻データにより指示される時刻での食物の調理終了温度データとを得るように構成されている調理取得モジュールと、
前記調理終了時刻データ、前記調理終了温度データ及び前記保温温度データに従って、食物の保温開始時刻データを決定するように構成されている保温開始時刻決定モジュールと、
前記保温開始時刻データにより指示される時刻で、食物の保温を開始するように構成されている保温開始モジュールと
を更に備えることを特徴とする請求項１０に記載の電子調理器の保温制御装置。
【請求項１２】
調節後、食物が前記提供時刻データにより指示される時刻で提供温度となるように、前記保温終了時刻データにより指示される時刻で食物の温度を調節するように構成されている温度調節モジュール
を更に備えることを特徴とする請求項１０又は請求項１１に記載の電子調理器の保温制御装置。
【請求項１３】
前記保温終了時刻決定モジュールは、
現在の環境温度データを決定し、
前記保温温度データ、前記提供温度データ、前記環境温度データ、及び、電子調理器の内槽の断熱係数に従って、温度変化期間を決定し、
前記温度変化期間及び前記提供時刻データに従って、前記保温終了時刻データを決定する
ように構成され、
前記温度変化期間は、前記提供時刻データにより指示される時刻と前記保温終了時刻データにより指示される時刻との差である
ことを特徴とする請求項１０乃至請求項１２のいずれか１項に記載の電子調理器の保温制御装置。
【請求項１４】
前記提供時刻予測モジュールは、
事前に記録された調理終了の各時点の後に電子調理器を開ける時刻を含む履歴の提供記録の情報に従って、前記提供時刻データを予測する、又は、
前回の調理を終えた後に電子調理器を開く時刻を現在の日付での前記提供時刻データとする
ように構成されていることを特徴とする請求項１０乃至請求項１３のいずれか１項に記載の電子調理器の保温制御装置。
【請求項１５】
前記提供時刻予測モジュールは、
ユーザが帰宅する経路の情報を得るように構成されている経路取得サブモジュールと、
ユーザが帰宅する交通手段の情報を得るように構成されている交通手段取得サブモジュールと、
ユーザが帰宅する経路の間の交通状況の情報を得るように構成されている交通状況取得サブモジュールと、
前記交通手段の情報及び前記交通状況の情報に従って、ユーザが帰宅する時の時刻データを予測するように構成されている到着時刻予測サブモジュールと、
ユーザが帰宅する時の前記時刻データを前記提供時刻データとするように構成されている提供時刻決定サブモジュールと
を備えることを特徴とする請求項１０乃至請求項１３のいずれか１項に記載の電子調理器の保温制御装置。
【請求項１６】
前記経路取得サブモジュールは、
端末から送信されたユーザの現在位置の情報を受信し、
電子調理器が置かれている場所であるユーザの自宅の位置の情報を得て、
ユーザの前記現在位置の情報及びユーザの前記自宅の位置の情報に従って、ユーザが帰宅する前記経路の情報を決定する
ように構成されていることを特徴とする請求項１５に記載の電子調理器の保温制御装置。
【請求項１７】
前記提供温度予測モジュールは、
前回の調理終了時刻の後に電子調理器を開ける時刻での食物の提供温度データを、前記提供温度データとする、又は、
予め設定された食物の推奨温度データを前記提供温度データとする、又は、
年齢範囲と温度との間の予め設定された対応関係に、ユーザが属する年齢範囲に応じて問い合わせをし、ユーザが属する年齢範囲に応じた温度データを得て、ユーザが属する年齢範囲に対応する前記温度データを前記提供温度データとして決定する
ように構成されていることを特徴とする請求項１０乃至請求項１６のいずれか１項に記載の電子調理器の保温制御装置。
【請求項１８】
前記保温温度予測モジュールは、
食物の名前を指示するための名前入力命令を受信し、
食物の名前と食物の保温温度との間の対応関係の記録情報である、名前入力命令と予めセットされた保温温度の対応関係に応じて、前記名前入力命令により指示された食物の名前に応じた対象の保温温度データを決定し、
前記対象の保温温度データを前記保温温度データとする
ように構成されていることを特徴とする請求項１０乃至請求項１７のいずれか１項に記載の電子調理器の保温制御装置。
【請求項１９】
コンピュータで実行した場合に、請求項１乃至請求項９のいずれか１項に記載の電子調理器の保温制御方法をコンピュータに実行させるためのコンピュータプログラム。
【請求項２０】
請求項１９に記載のコンピュータプログラムを記憶するコンピュータ読み込み可能な記憶媒体。
【国際調査報告】
2018503405.tif 000020
2018503405.tif 000021
2018503405.tif 000022
2018503405.tif 000023